(57)【要約】【課題】設計自由度が高く、接合性に優れ製造効率のよい多層配線基板を提供する。【解決手段】本基板１００ａは、熱可塑性樹脂を含む第１層１１１、熱硬化樹脂を含む第２層１１２、及び貫通導体１１３、を有する多層樹脂層１１０ａと、導体１２３を有する配線基板１２０と、を備え、多層樹脂層１１０ａと配線基板１２０とが、第２層１１２側と導体１２３側とで積層され、貫通導体１１３と導体１２３とが電気的に接続されている積層構造部を備える。【選択図】図４
2008103640.tif 000002
【特許請求の範囲】
【請求項１】
熱可塑性樹脂を含む第１の樹脂層、該第１の樹脂層の少なくとも片面に設けられた熱硬化樹脂を含む第２の樹脂層、及び、該第１の樹脂層と該第２の樹脂層とを貫通した貫通導体、を有する多層樹脂層と、
少なくとも片面に導体パターンを有する配線基板と、を備え、
該多層樹脂層と該配線基板とが、該第２の樹脂層側と該導体パターン側とで積層され、且つ該貫通導体と該導体パターンとが電気的に接続されている積層構造部を備えることを特徴とする多層配線基板。
【請求項２】
上記多層樹脂層は、上記第２の樹脂層を上記第１の樹脂層の両面に有し、
上記積層構造部は、上記配線基板を２つ備え、且つ、該配線基板のうちの第１の配線基板と、上記多層樹脂層と、該配線基板のうちの第２の配線基板とがこの順に積層され、
該多層樹脂層と該第１の配線基板とは、一面の該第２の樹脂層側と該第１の配線基板が備える導体パターン側とで積層され、
該多層樹脂層と該第２の配線基板とは、他面の該第２の樹脂層側と該第２の配線基板が備える導体パターン側とで積層され、
且つ該第１の配線基板が備える導体パターンと該第２の配線基板が備える導体パターンとが該貫通導体を介して電気的に接続されている請求項１に記載の多層配線基板。
【請求項３】
上記多層樹脂層は、上記第２の樹脂層を上記第１の樹脂層の両面に有し、
上記積層構造部は、金属からなる放熱板を備え、且つ、上記配線基板と、上記多層樹脂層と、該放熱板とがこの順に積層されている請求項１に記載の多層配線基板。
【請求項４】
上記配線基板は、フレキシブル基板である請求項１乃至３のうちのいずれかに記載の多層配線基板。
【請求項５】
上記配線基板を構成する樹脂部は、１％重量減温度が３００℃以上である請求項１乃至４のうちのいずれかに記載の多層配線基板。
【請求項６】
上記配線基板を構成する樹脂部は、ガラス転移点が１８０℃以上である請求項５に記載の多層配線基板。
【請求項７】
上記第２の樹脂層の厚さは、上記第１の樹脂層の厚さの１／４０〜１／２である請求項１乃至６のうちのいずれかに記載の多層配線基板。
【請求項８】
上記第１の樹脂層の平面方向の熱膨張係数をα１ｘ−ｙとし、該第１の樹脂層の厚さ方向の熱膨張係数をα１zとし、上記貫通導体の熱膨張係数をα３とした場合に、
−１０×１０−６≦α１ｘ−ｙ（／℃）≦３０×１０−６であり、
且つ、α１ｚ≧α３である請求項１乃至７のうちのいずれかに記載の多層配線基板。
【請求項９】
上記第２の樹脂層の平面方向の熱膨張係数をα２ｘ−ｙとし、該第２の樹脂層の厚さ方向の熱膨張係数をα２ｚとした場合に、
１０×１０−６≦α２ｘ−ｙ（／℃）≦６０×１０−６であり、
且つ、１０×１０−６≦α２ｚ（／℃）≦６０×１０−６である請求項１乃至８のうちのいずれかに記載の多層配線基板。
【発明の詳細な説明】
【技術分野】
【０００１】
本発明は多層配線基板に関する。更に詳しくは、設計自由度が高く、接合性に優れ製造効率のよい多層配線基板に関する。
【背景技術】
【０００２】
従来、多層配線基板としては、（１）ガラスエポキシ基板（ガラスクロスにエポキシ樹脂を含浸硬化させた基板）及びビスマレイミド・トリアジン基板等の高耐熱高強度であり、保形性に優れたコア基板を中心にして、その表面にプリプレグ及び配線パターンを交互に積層形成してなる多層配線基板が知られている。また、（２）ポリイミド樹脂等の高耐熱樹脂層の片面又は両面に配線パターンを形成した単層樹脂フレキシブル基板同士を、エポキシ樹脂等の接着層を介して一括積層してなる多層配線基板が知られている。更に、（３）下記特許文献１に示されるように、熱融着性に優れた特殊な熱可塑性樹脂層を用い、この熱可塑性樹脂層に貫通導体及び配線パターンを形成した各層を一括積層してなる多層配線基板が知られている。
【０００３】
【特許文献１】特開２０００−３８４６４号公報
【発明の開示】
【発明が解決しようとする課題】
【０００４】
上記（１）の多層配線基板では、プリプレグは単独で十分な形状保持性を有さないために製造時のハンドリング性に劣るという問題がある。また、十分な形状保持性を有さないためにコア基板を要し、設計自由度が制限されるという問題がある。更に、プリプレグを用いて積層した多層配線基板はフレキシブル化できないという問題がある。また、積層のたびに硬化させる必要があり、このために作業性が必ずしもよいとはいえず、多層化すれば硬化回数が増えるため内層への熱履歴が蓄積し易いという問題がある。更に、近年、鉛フリーハンダの使用等により求められているより高い耐熱性を付与し難いという問題も生じている。
【０００５】
また、近年、配線基板での高密度化の限界からコア基板を有さず、従来のスルーホールに変えてスタックドビア構造｛特に全層にわたって積層形成されたビア（以下、単に「全層ＩＶＨ構造」という｝を形成できることが要求されつつある。しかし、上記（２）の多層配線基板では、一括積層方式で製造する場合には全層ＩＶＨ構造とすることができず、ビルドアップ方式での全層ＩＶＨ構造形成は高コストになってしまい、十分な設計自由度及び製造効率が得られ難いという問題がある。更に、各層間の接着層により耐熱性が十分に得られ難いという問題がある。
【０００６】
上記（３）の多層配線基板では、層間の接合を熱可塑性樹脂から得るためにプリプレグを用いた場合のような強固な接合性が得られ難いという問題がある。また、熱可塑性樹脂は、熱融着できる程度まで加熱した際の粘度が小さく且つ熱膨張係数が小さいとしても、熱硬化性樹脂の優れた凹凸形状への追従性を超えることは困難である。即ち、プリプレグのような優れた塑性変形性は備えてないために、多層化された場合には特に微細な凹凸面に対する追従性が十分に得られ難いという問題がある。
【０００７】
本発明は、上記に鑑みてなされたものであり、設計自由度が高く、製造効率のよい多層配線基板に関する。
【課題を解決するための手段】
【０００８】
本発明は、以下に示す通りである。
（１）熱可塑性樹脂を含む第１の樹脂層、該第１の樹脂層の少なくとも片面に設けられた熱硬化樹脂を含む第２の樹脂層、及び、該第１の樹脂層と該第２の樹脂層とを貫通した貫通導体、を有する多層樹脂層と、
少なくとも片面に導体パターンを有する配線基板と、を備え、
該多層樹脂層と該配線基板とが、該第２の樹脂層側と該導体パターン側とで積層され、且つ該貫通導体と該導体パターンとが電気的に接続されている積層構造部を備えることを特徴とする多層配線基板。
（２）上記多層樹脂層は、上記第２の樹脂層を上記第１の樹脂層の両面に有し、
上記積層構造部は、上記配線基板を２つ備え、且つ、該配線基板のうちの第１の配線基板と、上記多層樹脂層と、該配線基板のうちの第２の配線基板とがこの順に積層され、
該多層樹脂層と該第１の配線基板とは、一面の該第２の樹脂層側と該第１の配線基板が備える導体パターン側とで積層され、
該多層樹脂層と該第２の配線基板とは、他面の該第２の樹脂層側と該第２の配線基板が備える導体パターン側とで積層され、
且つ該第１の配線基板が備える導体パターンと該第２の配線基板が備える導体パターンとが該貫通導体を介して電気的に接続されている上記（１）に記載の多層配線基板。
（３）上記多層樹脂層は、上記第２の樹脂層を上記第１の樹脂層の両面に有し、
上記積層構造部は、金属からなる放熱板を備え、且つ、上記配線基板と、上記多層樹脂層と、該放熱板とがこの順に積層されている上記（１）に記載の多層配線基板。
（４）上記配線基板は、フレキシブル基板である上記（１）乃至（３）のうちのいずれかに記載の多層配線基板。
（５）上記配線基板を構成する樹脂部は、１％重量減温度が３００℃以上である上記（１）乃至（４）のうちのいずれかに記載の多層配線基板。
（６）上記配線基板を構成する樹脂部は、ガラス転移点が１８０℃以上である上記（５）に記載の多層配線基板。
（７）上記第２の樹脂層の厚さは、上記第１の樹脂層の厚さの１／４０〜１／２である上記（１）乃至（６）のうちのいずれかに記載の多層配線基板。
（８）上記第１の樹脂層の平面方向の熱膨張係数をα１ｘ−ｙとし、該第１の樹脂層の厚さ方向の熱膨張係数をα１ｚとし、上記貫通導体の熱膨張係数をα３とした場合に、
−１０×１０−６≦α１ｘ−ｙ（／℃）≦３０×１０−６であり、
且つ、α１ｚ≧α３である上記（１）乃至（７）のうちのいずれかに記載の多層配線基板。
（９）上記第２の樹脂層の平面方向の熱膨張係数をα２ｘ−ｙとし、該第２の樹脂層の厚さ方向の熱膨張係数をα２ｚとした場合に、
１０×１０−６≦α２ｘ−ｙ（／℃）≦６０×１０−６であり、
且つ、１０×１０−６≦α２ｚ（／℃）≦６０×１０−６である上記（１）乃至（８）のうちのいずれかに記載の多層配線基板。
【発明の効果】
【０００９】
本発明の多層配線基板によれば、設計自由度が高く、他層との接合性に優れ、製造効率がよい多層配線基板とすることができる。即ち、例えば、従来のように層間導通を得るために、多層化後に全層を貫通するスルーホールを形成し、本来不必要な層にもスルーホールを形成するというような不具合を生じない。また、外表面側に接合性に優れた熱硬化性樹脂を含む第２の樹脂層を備えるために、優れた接合性を幅広い被接合材に対して発揮させることができるために、被接合材の選択範囲が広く設計自由度が高い。また、コート層を構成する熱硬化樹脂は、硬化の際に収縮挙動を示し、多層樹脂層全体においても収縮挙動が得られる。このため、貫通導体に対して圧縮応力が付加され、貫通導体と多層樹脂層の密着信頼性、及び貫通導体の電気伝導度、の各々が向上される。更に、本発明の多層配線基板では、一括して積層することもできるために製造効率に優れる。また、プリプレグのみを用いる場合のようにコア基板を用いる必要がなくコアレスの多層配線基板を得ることができ、スタックドビア構造（特に全層ＩＶＨ構造）とすることができる。
【００１０】
本発明の多層配線基板の多層化された部分においても可とう性が得られるが、特に本発明の多層配線基板を構成する各配線基板がフレキシブル基板である場合は、部分的にフレキシブル化させた多層配線基板を得ることができる。そして、リジッド部分とフレキシブル部分との２つの基板部分がコネクタを用いることなく接続された構造を得ることができる。このため、特に省スペース性に優れた多層配線基板を得ることができる。
【００１１】
配線基板を構成する樹脂部の１％重量減温度が３００℃以上である場合は、優れた耐熱性を有する多層基板を得ることができる。
配線基板を構成する樹脂部のガラス転移点が１８０℃以上である場合は、第２の樹脂層に用いる熱硬化性樹脂の硬化温度と、第１の樹脂層を構成する熱可塑性樹脂の適度な流動性が得られる温度範囲とを重複する温度範囲でコントロールすることができる。
【００１２】
第２の樹脂層の厚さが第１の樹脂層の厚さの１／４０〜１／２である場合は、この範囲では第１の樹脂層の特性と第２の樹脂層の特性とを特に相乗的に得ることができる。即ち、多層樹脂層全体としての保形性を十分に確保できる。また、貫通導体を確実に形成することができる。更に、優れた接合性及び優れた追従性が十分に発揮される。また、加熱時の熱可塑性樹脂の流動性を十分に抑制できる。
【００１３】
第１の樹脂層の熱膨張係数α１ｘ−ｙと、熱膨張係数α１ｚと、貫通導体の熱膨張係数α３とが、−１０×１０−６≦α１ｘ−ｙ（／℃）≦３０×１０−６、且つα１ｚ≧α３を満たす場合は、第１の樹脂層と第２樹脂層との間、及び多層樹脂層と配線基板との間の剥がれやデラミネーションをより効果的に防止できる。
第２の樹脂層の熱膨張係数α２ｘ−ｙと、第２の樹脂層の熱膨張係数α２ｚとが、１０×１０−６≦α２ｘ−ｙ（／℃）≦６０×１０−６、且つ１０×１０−６≦α２ｚ（／℃）≦６０×１０−６である場合は、第１の樹脂層と第２樹脂層との間、及び多層樹脂層と配線基板との間の剥がれやデラミネーションをより効果的に防止できる。特に第２の樹脂層がフィラー（他層との熱膨張差を低減する目的等）を含有する場合であっても、上記関係式の範囲に収めることで熱硬化性樹脂（完全硬化前の状態）の積層時における流動性（他層への追従性）を十分に確保できる。
【発明を実施するための最良の形態】
【００１４】
本発明について、以下詳細に説明する。
［１］多層配線基板
本発明の多層配線基板は、熱可塑性樹脂を含む第１の樹脂層、該第１の樹脂層の少なくとも片面に設けられた熱硬化樹脂を含む第２の樹脂層、及び、該第１の樹脂層と該第２の樹脂層とを貫通した貫通導体、を有する多層樹脂層と、少なくとも片面に導体パターンを有する配線基板と、を備え、該多層樹脂層と該配線基板とが、該第２の樹脂層側と該導体パターン側とで積層され、且つ該貫通導体と該導体パターンとが電気的に接続されている積層構造部を備えることを特徴とする。
【００１５】
本発明の多層配線基板は、上記多層構造部を備える。
上記「積層構造部」は、上記多層樹脂層と上記配線基板とを備える。
上記「多層樹脂層」は、少なくとも第１の樹脂層、第２の樹脂層及び貫通導体を備える。
上記「第１の樹脂層」は、熱可塑性樹脂を含む層である。第１の樹脂層は、熱可塑性樹脂のみからなってもよく、熱可塑性樹脂とそれ以外の他の成分を含有してもよい。この第１の樹脂層は、通常、多層樹脂層内において支持層として機能する。
【００１６】
上記「熱可塑性樹脂」としては、ポリアリールケトン樹脂、ポリイミド系樹脂、液晶ポリマー、ポリオレフィン樹脂等が挙げられる。これらの熱可塑性樹脂は１種のみを用いてもよく、２種以上を併用してもよい。また、上記のうちポリアリールケトン樹脂としては、ポリエーテルエーテルケトン樹脂（以下、単に「ＰＥＥＫ」ともいう）、ポリエーテルケトン樹脂（以下、単に「ＰＥＫ」ともいう）、ポリエーテルケトンケトン樹脂（以下、単に「ＰＥＫＫ」ともいう）等が挙げられる。これらのなかではＰＥＥＫが好ましく、更には、融点が２６０℃以上であるＰＥＥＫがより好ましい。また、上記のうちポリイミド系樹脂としては、ポリエーテルイミド樹脂（以下、単に「ＰＥＩ」ともいう）、熱可塑性ポリイミド樹脂、ポリアミドイミド樹脂、等が挙げられる。これらのなかではＰＥＩが好ましい。
【００１７】
これらのなかでも、ポリアリールケトン樹脂とポリイミド樹脂との複合樹脂又は液晶ポリマーが好ましく、更には、ＰＥＥＫとＰＥＩとの複合樹脂、又は液晶ポリマーがより好ましく、ＰＥＥＫとＰＥＩとの複合樹脂が特に好ましい。
上記ＰＥＥＫとＰＥＩとの複合樹脂において、各々の樹脂の配合割合は特に限定されないが、ＰＥＥＫとＰＥＩとの合計を１００質量％とした場合に、ＰＥＥＫは３５〜６５質量％であることが好ましい（即ち、ＰＥＩは６５〜３５重量％）。更には、この複合樹脂のガラス転移点は１５０〜２３０℃であることが好ましい。上記配合範囲であり、更には、上記ガラス転移点範囲では、耐熱性と接合強度と熱膨張係数とのバランスを保つことができる。
【００１８】
この第１の樹脂層には、上記熱可塑性樹脂以外にも他の成分が含有されてもよい。但し、他の成分は、本発明の目的を満たす範囲で含有され得る。通常、第１の樹脂層全体を１００体積％とした場合に上記熱可塑性樹脂以外の他の成分は、７０体積％以下（好ましくは６０体積％以下、より好ましくは５０体積％以下、０体積％であってもよい）である。
他の成分としては、フィラー及び芯材等が挙げられる。これらフィラー及び／又は芯材が含有される場合は、上記熱可塑性樹脂はこれらの成分に対して母相となる。このフィラーは無機フィラーでもってよく、有機フィラーであってもよいが、熱膨張係数、耐熱性及び電気的特性のバランスに優れるために無機フィラーであることが好ましい。
【００１９】
無機フィラーは、無機材料からなるフィラーである。無機フィラーとしては、炭酸カルシウム、酸化ケイ素、酸化アルミニウム、タルク、窒化アルミニウム及び硫酸バリウム等からなるセラミックフィラーが挙げられる。また、チタン酸バリウム、チタン酸ストロンチウム、チタン酸鉛及びチタン酸ジルコン酸鉛等からなる誘電体フィラーが挙げられる。これらの無機フィラーは１種のみを用いてもよく、２種以上を併用してもよい。また、フィラーの形状は特に限定されず、不定形状、球形状、繊維形状及び板形状が挙げられる。これら形状のフィラーは１種のみを用いてもよく、２種以上を併用してもよい。
一方、上記芯材としては、ガラス繊維、カーボン繊維、ガラスクロス、カーボンクロス、及び不織布（ガラス繊維、カーボン繊維並びに有機繊維のうちの少なくとも１種を用いた不織布）が挙げられる。これらは１種のみを用いてもよく、２種以上を併用してもよい。
【００２０】
上記「第２の樹脂層」は、熱硬化樹脂を含む層である。第２の樹脂層は、熱硬化樹脂のみからなってもよく、熱可塑性樹脂とそれ以外の他の成分を含有してもよい。この第２の樹脂層に含まれる熱硬化樹脂は、配線基板との積層前には未硬化状態であり、接合時に硬化される樹脂である。但し、この未硬化状態とは、熱硬化樹脂の完全硬化前の状態であり、半硬化状態及び完全未硬化状態を含む意味である。
また、第２の樹脂層は、第１の樹脂層の少なくとも片面に設けられた層である。即ち、第２の樹脂層は、第１の樹脂層の片面のみに備えられてもよく、第１の樹脂層の両面に備えられていてもよい。
【００２１】
上記「熱硬化樹脂」を構成する熱硬化性樹脂（熱硬化樹脂は熱硬化性樹脂が硬化されてなる）としては、熱硬化性ポリイミド樹脂、熱硬化性ビスマレイミド樹脂、エポキシ樹脂、シリコン樹脂、ポリフェニレンエーテル樹脂等が挙げられる。これらのなかでは熱硬化性ポリイミド樹脂及び熱硬化性ビスマレイミド樹脂が好ましく、特に熱硬化性ポリイミド樹脂が好ましい。熱硬化性ポリイミドは、接合性及び耐熱性に優れるからである。これらの熱硬化性樹脂は１種のみを用いてもよく、２種以上を併用してもよい。
【００２２】
この第２の樹脂層には、上記熱硬化樹脂以外にも他の成分が含有されてもよい。他の成分としては、硬化剤（硬化後にはその機能を果たした硬化剤残渣となっていてもよい）、硬化促進剤及びフィラー（前記第１樹脂層におけるフィラーをそのまま適用できる）等が挙げられる。更に、上記第１の樹脂層における他の成分を加えて挙げられる。これらは１種のみを用いてもよく、２種以上を併用してもよい。通常、第２の樹脂層全体を１００体積％とした場合に、他の成分は７０体積％以下（好ましくは６０体積％以下、より好ましくは５０体積％以下、０体積％であってもよい）である。
【００２３】
この第２の樹脂層は、この第２の樹脂層単独で、平面方向の熱膨張係数と厚さ方向の熱膨張係数の間に特定の相関を有することが好ましい。即ち、第２の樹脂層の平面方向の熱膨張係数をα２ｘ−ｙとし、該第２の樹脂層の厚さ方向の熱膨張係数をα２ｚとした場合に、１０×１０−６≦α２ｘ−ｙ（／℃）≦６０×１０−６であり、且つ、１０×１０−６≦α２ｚ（／℃）≦６０×１０−６であることが好ましい。この範囲であれば、第１の樹脂層と第２樹脂層との間、及び多層樹脂層と配線基板との間の剥がれやデラミネーションをより効果的に防止できる。特に第２の樹脂層に上記フィラー（他層との熱膨張差を低減する目的等）が含有される場合においても、α２ｘ−ｙ及びα２ｚが各々上記範囲であれば熱硬化性樹脂（完全硬化前の状態）の積層時における流動性（他層、他部品、これらの表面、他層が有するパターン等への追従性）を十分に確保できる。従って、第２の樹脂層の積層時の流動性（他層への追従性）、及び、硬化された後の第２の樹脂層と他層との熱膨張差抑制のバランスを好ましい範囲で保つことができる。
尚、上記各熱膨張係数の測定方法については後述する。
【００２４】
上記「貫通導体」は、第１の樹脂層と第２の樹脂層とを貫通した導体である。（１）第２の樹脂層を第１の樹脂層の片面のみに備える場合、貫通導体は第１の樹脂層とその片面の第２の樹脂層とを貫通して備える。また、（２）第２の樹脂層を第１の樹脂層の両面に備える場合、貫通導体は第１の樹脂層とその両面の第２の樹脂層とを貫通して備えられてもよく、第１の樹脂層と第２の樹脂層のうちの一方のみを貫通して備えられていてもよい。
この貫通導体の形状は特に限定されないが、通常、略円柱形状である。また、この貫通導体の大きさは特に限定されないが、通常、その直径（円柱形状でない場合には最大長さ）は、直径３００μｍ以下である。
【００２５】
この貫通導体としては、樹脂と導電性フィラーとを含有する導体ペースト（以下、単に「圧接型ペースト」という）からなる導体（以下、単に「圧接型貫通導体」という）が挙げられる。更に、酸化銀粒子、有機金属化合物、超微粒金属粒子及び低融点金属粒子のうちの少なくともいずれかを主成分とする導体ペースト（以下、単に「金属結合型ペースト」という）を低温焼結させた実質的に導電性材料（例えば、金属材料）のみからなる導体（以下、単に「金属結合型貫通導体」という）が挙げられる。これらの導体は１種のみを用いてもよく、２種以上を併用してもよい。
【００２６】
上記のうち圧接型貫通導体を構成する樹脂の種類は特に限定されず、熱可塑性樹脂であってもよく、熱硬化樹脂であってもよい。このうち熱可塑性樹脂としては、前記第１の樹脂層に含有される熱可塑性樹脂をそのまま適用できる。但し、第１の樹脂層の樹脂と貫通導体の樹脂とは同じであってもよく、異なっていてもよい。
【００２７】
また、圧接型貫通導体を構成する導電性フィラーとしては、金属製フィラー及びカーボン製フィラー等が挙げられる。金属製フィラーとしては、銅、銀、金、白金、アルミニウム及びニッケル等の金属からなるフィラーが挙げられる。これらの金属は１種のみが含有されてもよく、２種以上が含有されてもよい。カーボン製フィラーとしては、カーボンブラック、カーボンナノチューブ等のカーボンからなるフィラーが挙げられる。これらのカーボンは１種のみが含有されてもよく、２種以上が含有されてもよい。また、これらの金属製フィラー及びカーボン製フィラー等は１種のみを用いてもよく、２種以上を併用してもよい。更に、導電性フィラーの形状は特に限定されず、球形状、柱形状、針形状、平板形状、及び繊維形状等が挙げられる。これらの形状は１種のみを用いてもよく、２種以上のものを併用してもよい。これらの形状のなかでは球形状が好ましい。
【００２８】
圧接型貫通導体における導電性フィラーの大きさは特に限定されないが、平均粒径（球形状以外の形状においては最大長）は１０μｍ以下（より好ましくは８μｍ以下、更に好ましくは１〜７μｍ）であることが好ましい。この範囲であれば多層樹脂層の製造時に導電性ペーストの充填を特にスムーズに行うことができる。
更に、圧接型貫通導体に含有される上記樹脂と導電性フィラーとの割合は特に限定されないが、上記樹脂と導電性フィラーとの合計を１００体積％とした場合に、導電性フィラーは４０体積％以上（より好ましくは４５体積％以上、更に好ましくは５０体積％以上）であることが好ましい。この範囲であれば優れた導電性を得ることができる。
【００２９】
一方、上記金属結合型貫通導体を構成する金属種は特に限定されない。例えば、銀、銅、すず、鉛、金及びアルミニウム等が挙げられる。この貫通導体を得るためのペーストは、通常、酸化銀粒子、有機金属化合物、超微粒金属粒子及び低融点金属粒子のうちの少なくともいずれかを主成分とする。上記酸化銀が含有されるペーストは、酸化銀の加熱還元時の熱融着特性により銀導体が得られるペーストである。上記有機金属化合物が含有されるペーストは、有機金属化合物の有機質部位が熱分解により焼失されて金属導体が得られるペーストである。超微粒金属粒子が含有されるペーストは、超微粒金属粒子の高い表面活性能により互いに熱融着されて金属導体が得られるペーストである。上記低融点金属粒子が含有されるペーストは、低融点金属粒子が加熱融着されて金属導体が得られるペーストである。これらの金属結合型ペーストは１種のみを用いてもよく、２種以上を併用してもよい。
【００３０】
多層樹脂層を構成する上記第１の樹脂層、上記第２の樹脂層及び上記貫通導体とは、各々特定の相関を有していることで特に効果的に機能させることができる。
このうち第１の樹脂層の厚さと第２の樹脂層の厚さとの間には下記の相関を有することが好ましい。即ち、第２の樹脂層の厚さは、第１の樹脂層の厚さの１／４０〜１／２（より好ましくは１／３０〜１／３、特に好ましくは１／２０〜１／５）であることが好ましい。この範囲では第１の樹脂層の特性と第２の樹脂層の特性とを相乗的に得ることができる。即ち、多層樹脂層全体としての保形性を十分に確保できる。また、貫通導体を確実に形成することができる。更に、優れた接合性及び優れた追従性が十分に発揮される。また、加熱時の熱可塑性樹脂の流動性を十分に抑制できる。更に、第１の樹脂層の厚さは特に限定されないが１０００μｍ以下（５００μｍ以下がより好ましく、２００μｍ以下が更に好ましく、２〜２００μｍがより更に好ましく、５〜１００μｍが特に好ましく、５〜３５μｍがとりわけ好ましい）が好ましい。また、第２の樹脂層の厚さは、接合される配線基板が備える導体パターンの厚さとその配置面積により適宜の厚さとすることが好ましく、特に限定されないが、１０００μｍ以下（１２〜１０００μｍがより好ましく、１２〜２００μｍが更に好ましく、２０〜１００μｍが特に好ましい）が好ましい。
【００３１】
また、第１の樹脂層の熱膨張係数と貫通導体の熱膨張係数との間には下記の相関を有することが好ましい。即ち、第１の樹脂層の平面方向の熱膨張係数をα１ｘ−ｙとし、第１の樹脂層の厚さ方向の熱膨張係数をα１ｚとし、貫通導体の熱膨張係数をα３とした場合に、−１０×１０−６≦α１ｘ−ｙ（／℃）≦３０×１０−６であり、且つ、α１ｚ≧α３であることが好ましい。この範囲であれば、第１の樹脂層と第２樹脂層との間、及び多層樹脂層と配線基板との間の剥がれやデラミネーションをより効果的に防止できる。
【００３２】
本発明における熱膨張係数は、測定対象とする層（第１の樹脂層及び第２の樹脂層）を、長さ１０ｍｍ且つ断面積０．２ｍｍ２の短冊状の試験片に切り出し、引張り荷重０．３ｇで試験片を装置に固定し、室温から５℃／分の割合で昇温させて、熱応力歪み測定装置（株式会社リガク製、形式「ＴＭＡ８３１０」）により測定された線膨張係数をいうものとする。また、前記熱膨張係数のうちα１ｘ−ｙ、α２ｘ−ｙ及びα３は、各々各層における樹脂の流れ方向（押出形成による押し出し方向）をＸ方向とし、その直交方向をＹ方向として、これらの各方向の５０℃〜１５０℃における線熱膨張係数の平均値である。更に、α１ｚ及びα２ｚは、各々各層における樹脂の流れ方向（押出形成による押し出し方向）をＸ方向とし、その直交方向をＹ方向とし、これらＸ方向及びＹ方向のいずれにも直交する方向の線熱膨張係数である。このα１ｚ及びα２ｚの測定に際しての試験片形状は、長さ１０ｍｍ×幅２．６ｍｍ×厚さ３．８ｍｍとする。尚、上記α３は、通常、貫通導体の熱膨張係数が等方性である（仮に方向による熱膨張係数差を有していたとしても小さく無視し得る程度である）ため、測定方向は限定されない。
【００３３】
上記「配線基板」は、少なくとも片面に導体パターンを有する基板である。また、この導体パターンは貫通導体と電気的に接続される導体パターンである。
この導体パターンは、導電性を有する（即ち、常温において、通常、３μΩ・ｃｍ以下）パターニングされた層である。導体パターンの形状及び厚さ等は特に限定されないが、通常、２００μｍ以下（好ましくは１００μｍ以下、より好ましくは２０μｍ以下）である。更に、導体パターンを構成する導体材料は特に限定されず、例えば、銅、銀、金、白金、ニッケル、スズ及び鉛及びこれらのうちの２種以上の合金等が挙げられる。これらの導体材料は１種のみを用いてもよく、２種以上を併用してもよい。
【００３４】
また、配線基板は、通常、導体パターンの絶縁を行う絶縁層を備える。絶縁層を構成する絶縁材料は特に限定されない。即ち、例えば、有機材料であってもよく、無機材料であってもよい。
有機材料としては、上記第１の樹脂層に含有される熱可塑性樹脂、及び上記第２の樹脂層に含有される熱硬化樹脂が挙げられる。また、これら以外に、ビスマレイミド・トリアジン系樹脂、フッ素樹脂、フェノール系樹脂、キシレン系樹脂、熱硬化性ＰＰＥ（ポリフェニレンエーテル）系樹脂、ＢＣＢ（ベンゾシクロブテン）及びポリノルボルネン等が挙げられる。これらの有機材料は１種のみを用いてもよく、２種以上を併用してもよい。更に、この絶縁層は、前記各種フィラー及び芯材｛ガラスクロス、ガラス不織布、樹脂（ポリアミド等）クロス、樹脂（ポリアミド等）不織布、樹脂（ポリアミド等）フィルム、ＰＴＦＥ（ポリテトラフルオロエチレン）等｝を含有できる。これらのフィラー及び芯材は１種のみを用いてもよく、２種以上を併用してもよい。
また、無機材料としては、各種セラミックス材料（チタン酸金属塩等の誘電体磁器材料、ガラスセラミックス材料など）が挙げられる。
【００３５】
この配線基板の形態は特に限定されず、単層基板（絶縁層と、この絶縁層の片面又は両面に形成された導体パターンを備える）であってもよく、多層配線基板（２層以上の絶縁層と２層以上の導体パターンとを交互に積層して備える）であってもよい。これらのなかでは、上記単層基板を用いた場合に、上記多層樹脂層を用いることによる効果を特に得やすい。特に絶縁層が可とう性のあるフレキシブル基板であることが好ましい。即ち、フレキシブル基板を用いた場合には、図６〜９に示すように部分的にフレキシブル化させた多層配線基板を得ることができる。この基板では実質的にリジッド部分２００と、フレキシブル部分３００との２つの基板部分がコネクタを用いることなく接続された構造となっている。このため、特に省スペース性に優れた多層配線基板を得ることができる。
【００３６】
上記フレキシブル基板とは、その配線基板が全体として可とう性を有するものであり、通常、樹脂部を有することで可とう性を有する。この樹脂部は、通常、絶縁層として利用されている。その他、フレキシブル基板は、この絶縁層と、この絶縁層の片面又は両面に形成された導体パターンとを備える。即ち、例えば、フレキシブル基板は、１層の絶縁層と、この絶縁層の片面又は両面に形成された導体パターンとからなる。
【００３７】
上記樹脂部を構成する樹脂の種類は特に限定されず、熱可塑性樹脂であってもよく、熱硬化樹脂であってもよいが、通常、可とう性を要するために熱可塑性樹脂である。この熱可塑性樹脂としては、前記第１の樹脂層において挙げた各種熱可塑性樹脂をそのまま適用できる。即ち、ポリイミド系樹脂（ＰＥＩ、熱可塑性ポリイミド樹脂、ポリアミドイミド樹脂等）、液晶ポリマー、ポリアリールケトン樹脂（ＰＥＥＫ、ＰＥＫ、ＰＥＫＫ等）などが挙げられる。これらの熱可塑性樹脂は１種のみを用いてもよく、２種以上を併用してもよい。これらの熱可塑性樹脂のなかでは、ポリイミド系樹脂が好ましい。
【００３８】
また、このフレキブル基板を構成する樹脂部は、１％重量減温度（熱重量測定装置を用いて大気下で測定）が３００℃以上（より好ましくは３５０℃以上、更に好ましくは４００℃以上）であることが好ましい。この範囲では優れた耐熱性を有する多層基板を得ることができる。
更に、フレキシブル基板を構成する樹脂部のガラス転移点は特に限定されないが１８０℃以上（より好ましくは２００℃以上、更に好ましくは２５０℃以上）であることが好ましい。この範囲では特に優れた耐熱性を有する多層基板を得ることができる。更には、第２の樹脂層に用いる熱硬化性樹脂の硬化温度と、第１の樹脂層を構成する熱可塑性樹脂の適度な流動性が得られる温度範囲とを重複する温度範囲でコントロールできる。また、フレキブル基板を構成する樹脂部の厚さは特に限定されないが、通常、５０μｍ以下である。
尚、上記配線基板を構成する導体パターンについては、形状、厚さ及び材質等、特に限定されず、従来公知の導体パターンを用いることができる。
【００３９】
本発明の多層配線基板における積層構造部は、上記多層樹脂層及び上記配線基板以外にも他部（他層及び部品を含む）を備えることができる。他部としては、金属からなる放熱板を挙げることができる。この放熱板は、多層配線基板の使用時に多層配線基板に蓄熱されて電気的特性が変化することを防止するために、多層配線基板で生じる熱を外部へ熱伝導及び放熱する機能を有する層である。この放熱板を構成する金属の種類は特に限定されないが、銅及びアルミニウム等を主成分として含有することがき、銅箔（実質的に銅のみからなる）又はアルミニウム箔等を用いることができる。また、放熱板の厚さは特に限定されないが、通常、３ｍｍ以下（好ましくは２ｍｍ以下、より好ましくは１ｍｍ以下）である。
【００４０】
また、積層構造部は、上記多層樹脂層、上記配線基板及び上記放熱板以外にも他部を備えることができる。他部としては、後述する図８に例示する多層配線基板１００ｆが有するレジスト層等の保護層１５０や、後述する図９に例示する多層配線基板１００ｇが有するめっき層１２５等が挙げられる。その他、カバーレイ等の層が挙げられる。これらの層は１種のみを用いてもよく、２種以上を併用してもよい。
【００４１】
本発明の多層配線基板は、上記多層構造部以外にも他部を備えることができる。他部としては、レジスト層、めっき層、カバーレイ等の各種層が挙げられる。また、外部装置｛各種部品（能動部品、受動部品）、他の配線基板｝等との接続に使用されるハンダバンプ、ハンダボール等の接続端子が挙げられる。更に、各種電子部品（能動部品、受動部品、変換部品及び接続部品等）などが挙げられる。これらは１種のみを用いてもよく、２種以上を併用してもよい。
【００４２】
以下、本発明の多層配線基板の構造例について図３〜１２を用いて説明する。
〔１〕図３に示す多層配線基板１００ａ
図３に示す多層配線基板１００ａは、一面側から他面側にかけて下記（１）〜（７）の各層がこの順に積層されて備えられた本発明の多層配線基板の一例である。
（１）『他層１３０ａ』；熱可塑性樹脂を含有し且つ貫通孔１３３が形成された第１の樹脂層１３１とこの第１の樹脂層１３１の一面に配置された熱硬化樹脂を含有する第２の樹脂層１３２とを備える層。第２の樹脂層１３２は下記（２）のフレキシブル基板１２０側に配置されている。
（２）『フレキシブル基板１２０』；熱可塑性樹脂を含有する第１の樹脂層１２１と、第１の樹脂層１２１の両面に配置された導体パターン１２３と、表裏の導体パターン１２３を電気的に接続する貫通導体１２２とを備える配線基板。
（３）『多層樹脂層１１０ａ』；熱可塑性樹脂を含有する第１の樹脂層１１１とこの第１の樹脂層１１１の両面に配置された熱硬化樹脂を含有する第２の樹脂層１１２と、第１の樹脂層及び第２の樹脂層を貫通して設けられた貫通導体１１３とを備える層。
（４）『フレキシブル基板１２０』；上記（２）と同じ層。
（５）『多層樹脂層１１０ａ』；上記（３）と同じ層。
（６）『フレキシブル基板１２０』；上記（２）と同じ層。
（７）『他層１３０ａ』；上記（１）と同じ構成の層。第２の樹脂層１３２は上記（６）のフレキシブル基板１２０側に配置されている。
【００４３】
〔２〕図４に示す多層配線基板１００ｂ
図４に示す多層配線基板１００ｂは、一面側から他面側にかけて下記（１）〜（９）の各層がこの順に積層されて備えられた本発明の多層配線基板の他例である。この多層配線基板１００ｂは、一面側から他面側にかけて下記（１）〜（９）の各層がこの順に積層されて備えられている。
（１）『配線パターン１４０』；無電解めっき法及び電解めっき法を併用して得られた金属膜をフォトリソ法によりパターニングして得ることができる層。
（２）『多層樹脂層１１０ｂ』；熱可塑性樹脂を含有する第１の樹脂層１１１とこの第１の樹脂層１１１の一面に配置された熱硬化樹脂を含有する第２の樹脂層１１２と、第１の樹脂層及び第２の樹脂層を貫通して設けられた貫通導体１１３とを備える層。第２の樹脂層１１２は下記（３）のフレキシブル基板１２０側に配置されている。
（３）『フレキシブル基板１２０』；熱可塑性樹脂を含有する第１の樹脂層１２１と、第１の樹脂層１２１の両面に配置された導体パターン１２３と、表裏の導体パターン１２３を電気的に接続する貫通導体１２２とを備える配線基板。
（４）『多層樹脂層１１０ａ』；熱可塑性樹脂を含有する第１の樹脂層１１１とこの第１の樹脂層１１１の両面に配置された熱硬化樹脂を含有する第２の樹脂層１１２と、第１の樹脂層及び第２の樹脂層を貫通して設けられた貫通導体１１３とを備える層。
（５）『フレキシブル基板１２０』；上記（３）と同じ層。
（６）『多層樹脂層１１０ａ』；上記（４）と同じ層。
（７）『フレキシブル基板１２０』；上記（３）と同じ層。
（８）『多層樹脂層１１０ｂ』：上記（２）と同じ構成の層。第２の樹脂層１１２は上記（７）のフレキシブル基板１２０側に配置されている。
（９）『配線パターン１４０』：上記（１）と同じ層。
【００４４】
〔３〕図５に示す多層配線基板１００ｃ
図５に示す多層配線基板１００ｃは、一面側から他面側にかけて下記（１）〜（５）の各層がこの順に積層されて備えられている。
（１）『フレキシブル基板１２０』；熱可塑性樹脂を含有する第１の樹脂層１２１と、第１の樹脂層１２１の両面に配置された導体パターン１２３と、表裏の導体パターン１２３を電気的に接続する貫通導体とを備える層。
（２）『多層樹脂層１１０ａ』；熱可塑性樹脂を含有する第１の樹脂層１１１とこの第１の樹脂層１１１の両面に配置された熱硬化樹脂を含有する第２の樹脂層１１２と、第１の樹脂層及び第２の樹脂層を貫通して設けられた貫通導体１１３とを備える層。
（３）『フレキシブル基板１２０』；上記（１）と同じ層。
（４）『多層樹脂層１１０ａ』；上記（２）と同じ層。
（５）『フレキシブル基板１２０』；上記（１）と同じ層。
尚、図５における（１）及び（５）のフレキシブル基板１２０に形成されたスルーホール内には、内壁面導体層からなる貫通導体１２２を有し、この内壁面導体層以外のスルーホールの残部は、フレキシブル基板１２０と多層樹脂層１１０ａとが圧着される際に、多層樹脂層１１０ａの第２の樹脂層１１２が塑性変形して充填されてなる充填部である。
【００４５】
〔４〕図６に示す多層配線基板１００ｄ
図６に示す多層配線基板１００ｄは、一面側から他面側にかけて下記（１）〜（７）の各層がこの順に積層されて備えられているリジッド部分２００と、一面側から他面側にかけて下記（３）〜（５）の各層がこの順に積層されてなるフレキシブル部分３００とを備え、フレキシブル部分３００を構成する（３）〜（５）の各層はリジッド部分２００を構成する（３）〜（５）の一部である多層配線基板である。換言すれば、多層配線基板１００ｄは、一面側から他面側にかけて下記（１）〜（７）の各層がこの順に積層されて備えられ、（１）〜（２）及び（６）〜（７）の層が部分的に存在しないフレキシブル部分３００を備える。これらの各層は以下の通りである。
【００４６】
（１）『他層１３０ａ』；熱可塑性樹脂を含有し且つ貫通孔１３３が形成された第１の樹脂層１３１とこの第１の樹脂層１３１の一面に配置された熱硬化樹脂を含有する第２の樹脂層１３２とを備える層。第２の樹脂層１３２は下記（２）のフレキシブル基板１２０側に配置されている。
（２）『フレキシブル基板１２０』；熱可塑性樹脂を含有する第１の樹脂層１２１と、第１の樹脂層１２１の両面に配置された導体パターン１２３と、表裏の導体パターン１２３を電気的に接続する貫通導体１２２とを備える層。
（３）『多層樹脂層１１０ａ』；熱可塑性樹脂を含有する第１の樹脂層１１１とこの第１の樹脂層１１１の両面に配置された熱硬化樹脂を含有する第２の樹脂層１１２と、第１の樹脂層及び第２の樹脂層を貫通して設けられた貫通導体１１３とを備える層。
（４）『フレキシブル基板１２０』：上記と同じ層。
（５）『多層樹脂層１１０ａ』；上記と同じ層。
（６）『フレキシブル基板１２０』；上記と同じ層。
（７）『他層１３０ａ』；上記と同じ構成の層。第２の樹脂層１３２は上記（６）のフレキシブル基板１２０側に配置されている。
尚、フレキシブル部分３００では、多層樹脂層１１０ａは、フレキシブル基板１２０の表裏両面に配置された導体パターン１２３の保護層として機能している。
【００４７】
〔５〕図７に示す多層配線基板１００ｅ
図７に示す多層配線基板１００ｅは、図６におけるフレキシブル部分３００内のフレキシブル基板１２０が片面にのみ導体パターン１２３を備える多層配線基板である。このために、導体パターン１２３の保護層がフレキシブル基板１２０の一面側のみに形成されているものである。
即ち、多層配線基板１００ｅは、一面側から他面側に向かって下記（１）〜（７）の各層がこの順に積層されて備えられているリジッド部分２００と、一面側から他面側にかけて下記（３）〜（４）の各層がこの順に積層されてなるフレキシブル部分３００とを備え、フレキシブル部分３００を構成する（３）〜（４）の各層はリジッド部分２００を構成する（３）〜（４）の一部である多層配線基板である。換言すれば、多層配線基板１００ｅは、一面側から他面側にかけて下記（１）〜（７）の各層がこの順に積層されて備えられ、（１）〜（２）及び（５）〜（７）の層が部分的に存在しないフレキシブル部分３００を備える。これらの各層は以下の通りである。
【００４８】
（１）『他層１３０ａ』；熱可塑性樹脂を含有し且つ貫通孔１３３が形成された第１の樹脂層１３１とこの第１の樹脂層１３１の一面に配置された熱硬化樹脂を含有する第２の樹脂層１３２とを備える層。第２の樹脂層１３２は下記（２）のフレキシブル基板１２０側に配置されている。
（２）『フレキシブル基板１２０』；熱可塑性樹脂を含有する第１の樹脂層１２１と、第１の樹脂層１２１の両面に配置された導体パターン１２３と、表裏の導体パターン１２３を電気的に接続する貫通導体１２２とを備える層。
（３）『多層樹脂層１１０ａ』；熱可塑性樹脂を含有する第１の樹脂層１１１とこの第１の樹脂層１１１の両面に配置された熱硬化樹脂を含有する第２の樹脂層１１２と、第１の樹脂層及び第２の樹脂層を貫通して設けられた貫通導体１１３とを備える層。
（４）『フレキシブル基板１２０』；上記（２）と同じ層。
（５）『多層樹脂層１１０ａ』；上記（３）と同じ層。
（６）『フレキシブル基板１２０』；上記（２）と同じ層。
（７）『他層１３０ａ』：上記（１）と同じ構成の層。第２の樹脂層１３２は上記（６）のフレキシブル基板１２０側に配置されている。
【００４９】
尚、図６の多層配線基板１００ｄと、図７の多層配線基板１００ｅとは、（４）のフレキシブル基板１２０がフレキシブル部分２００において両面に導体パターン１２３を備えるか、片面にのみ導体パターン１２３を備えるか、の違いによる。即ち、図６の多層配線基板１００ｄはフレキシブル部分２００においても（４）のフレキシブル基板１２０がその両面に導体パターン１２３を有する。このために、両方の導体パターン１２３を保護するために、（３）の多層樹脂層１１０ａ及び（５）の多層樹脂層１１０ａの両層がフレキシブル部分２００にも存在している。
【００５０】
〔６〕図８に示す多層配線基板１００ｆ
図８に示す多層配線基板１００ｆは、図６におけるフレキシブル部分２００において、（４）のフレキシブル基板１２０の導体パターン１２３の保護に多層樹脂層１１０ａを用いず、別体に形成した保護層１５０を用いた多層配線基板である。
即ち、多層配線基板１００ｆは、一面側から他面側に向かって下記（１）〜（７）の各層がこの順に積層されて備えられているリジッド部分２００と、一面側から他面側にかけて下記（８）、（４）、（８）の各層がこの順に積層されてなるフレキシブル部分３００とを備え、フレキシブル部分３００を構成する（４）のフレキシブル基板はリジッド部分２００を構成する（４）のフレキシブル基板の一部であり、（８）は別体に形成された保護層１５０である多層配線基板である。これらの各層は以下の通りである。
【００５１】
（１）『他層１３０ａ』；熱可塑性樹脂を含有し且つ貫通孔１３３が形成された第１の樹脂層１３１とこの第１の樹脂層１３１の一面に配置された熱硬化樹脂を含有する第２の樹脂層１３２とを備える層。第２の樹脂層１３２は下記（２）のフレキシブル基板１２０側に配置されている。
（２）『フレキシブル基板１２０』；熱可塑性樹脂を含有する第１の樹脂層１２１と、第１の樹脂層１２１の両面に配置された導体パターン１２３と、表裏の導体パターン１２３を電気的に接続する貫通導体１２２とを備える層。
（３）『多層樹脂層１１０ａ』；熱可塑性樹脂を含有する第１の樹脂層１１１とこの第１の樹脂層１１１の両面に配置された熱硬化樹脂を含有する第２の樹脂層１１２と、第１の樹脂層及び第２の樹脂層を貫通して設けられた貫通導体１１３とを備える層。
（４）『フレキシブル基板１２０』；上記（２）と同じ層。
（５）『多層樹脂層１１０ａ』；上記（３）と同じ層。
（６）『フレキシブル基板１２０』；上記（２）と同じ層。
（７）『他層１３０ａ』：上記（１）と同じ構成の層。第２の樹脂層１３２は上記（６）のフレキシブル基板１２０側に配置されている。
（８）『保護層１５０』；上記（４）のフレキシブル基板１２０の両面に形成された導体パターン１２３を保護する別体の層。この保護層１５０としては、レジスト層、カバーレイ等を用いることができる。
【００５２】
〔７〕図９に示す多層配線基板１００ｇ
図９に示す多層配線基板１００ｇは、図６におけるフレキシブル部分２００において、（４）のフレキシブル基板１２０の導体パターン１２３の保護に多層樹脂層１１０ａを用いず、予め形成した耐酸化性に優れためっき層を用いた多層配線基板である。
即ち、多層配線基板１００ｇは、一面側から他面側に向かって下記（１）〜（７）の各層がこの順に積層されて備えられているリジッド部分２００と、（４）のめっき層で保護されたフレキシブル基板のみならなるフレキシブル部分３００とを備え、フレキシブル部分３００を構成する（４）のフレキシブル基板はリジッド部分２００を構成する（４）のフレキシブル基板の一部である多層配線基板である。これらの各層は以下の通りである。
【００５３】
（１）『他層１３０ａ』；熱可塑性樹脂を含有し且つ貫通孔１３３が形成された第１の樹脂層１３１とこの第１の樹脂層１３１の一面に配置された熱硬化樹脂を含有する第２の樹脂層１３２とを備える層。第２の樹脂層１３２は下記（２）のフレキシブル基板１２０側に配置されている。
（２）『フレキシブル基板１２０』；熱可塑性樹脂を含有する第１の樹脂層１２１と、第１の樹脂層１２１の両面に配置された導体パターン１２３と、表裏の導体パターン１２３を電気的に接続する貫通導体１２２とを備える層。
（３）『多層樹脂層１１０ａ』；熱可塑性樹脂を含有する第１の樹脂層１１１とこの第１の樹脂層１１１の両面に配置された熱硬化樹脂を含有する第２の樹脂層１１２と、第１の樹脂層及び第２の樹脂層を貫通して設けられた貫通導体１１３とを備える層。
（４）『フレキシブル基板１２０』；熱可塑性樹脂を含有する第１の樹脂層１２１と、第１の樹脂層１２１の両面に配置された導体パターン１２３と、表裏の導体パターン１２３を電気的に接続する貫通導体１２２と、導体パターン１２３の表面に形成されためっき層１２５を備える層。 
（５）『多層樹脂層１１０ａ』；上記（３）と同じ層。
（６）『フレキシブル基板１２０』；上記（２）と同じ層。
（７）『他層１３０ａ』：上記（１）と同じ構成の層。第２の樹脂層１３２は上記（６）のフレキシブル基板１２０側に配置されている。
【００５４】
上記めっき層１２５は、多層配線基板１００ｇの積層前に予めフレキシブル基板１２０の導体パターン１２３表面にめっき形成して得ることができる。このめっき層を構成する耐酸化能に優れた金属材料としては、金、白金、パラジウム等の、銀を除く貴金属、及びニッケル等が挙げられる。これらの金属材料は、１種のみを用いてもよく、２種以上を併用してもよい。
尚、図９では、フレキシブル基板１２０に予めめっき層１５０を形成した上で積層した場合の構造を例示したが、全ての層を積層した後に、露出された導体パターン１２３にのみめっき層１５０を形成してもよい。
【００５５】
〔８〕図１０に示す多層配線基板１００ｈ
図１０に示す多層配線基板１００ｈは、図３の多層配線基板１００ａにおける（６）のフレキシブル基板１２０を構成する樹脂部１２１に代えて高誘電率樹脂層１２４を用いた例である。この高誘電率樹脂層１２４としては、高誘電体磁器フィラー（アルミナフィラー、チタン酸塩フィラーなど）を含有する熱可塑性樹脂、硬化済みの熱硬化性樹脂等を用いることができる。これらは１種のみを用いてもよく、２種以上を併用してもよい。
図１０に示す多層配線基板１００ｈは、一面側から他面側にかけて下記（１）〜（７）の各層がこの順に積層されて備えられた本発明の多層配線基板の一例である。
（１）『他層１３０ａ』；熱可塑性樹脂を含有し且つ貫通孔１３３が形成された第１の樹脂層１３１とこの第１の樹脂層１３１の一面に配置された熱硬化樹脂を含有する第２の樹脂層１３２とを備える層。第２の樹脂層１３２は下記（２）のフレキシブル基板１２０側に配置されている。
（２）『フレキシブル基板１２０』；熱可塑性樹脂を含有する第１の樹脂層１２１と、第１の樹脂層１２１の両面に配置された導体パターン１２３と、表裏の導体パターン１２３を電気的に接続する貫通導体１２２とを備える配線基板。
（３）『多層樹脂層１１０ａ』；熱可塑性樹脂を含有する第１の樹脂層１１１とこの第１の樹脂層１１１の両面に配置された熱硬化樹脂を含有する第２の樹脂層１１２と、第１の樹脂層及び第２の樹脂層を貫通して設けられた貫通導体１１３とを備える層。
（４）『フレキシブル基板１２０』；上記（２）と同じ層。
（５）『多層樹脂層１１０ａ』；上記（３）と同じ層。
（６）『フレキシブル基板１２０』；アルミナフィラーが分散含有された熱可塑性樹脂を含有する抗誘電率樹脂層１２４と、第１の樹脂層１２１の両面に配置された導体パターン１２３と、表裏の導体パターン１２３を電気的に接続する貫通導体１２２とを備える配線基板。
（７）『他層１３０ａ』；上記（１）と同じ構成の層。第２の樹脂層１３２は上記（６）のフレキシブル基板１２０側に配置されている。
【００５６】
この図１０に例示する多層配線基板１００ｈでは、（６）のフレキシブル基板１２０を構成する樹脂層１２１のみが高誘電率樹脂層１２４からなる例であるが、これ以外にも（２）、（４）及び（６）のうちの少なくとも一層の樹脂層１２１を、この高誘電率樹脂層１２４で置き換えたフレキシブル基板１２０とすることができる。更に、このフレキシブル基板１２０は、高誘電率を発揮できるセラミック層を備えるリジッドな配線基板で各々置き換えることもできる。
同様に、図３〜９及び図１１〜１２の各多層配線基板では、各々を構成するフレキシブル基板１２０を構成する樹脂層（樹脂部）１２１の１又は２以上をこの高誘電率樹脂層１２４で置き換えることができる。
【００５７】
〔９〕図１１に示す多層配線基板１００ｉ
図１１に示す多層配線基板１００ｉは、放熱板１６０を備える多層配線基板の一例である。この多層配線基板１００ｉは、一面側から他面側にかけて下記（１）〜（１１）の各層がこの順に積層されて備えられた本発明の多層配線基板の一例である。
（１）『他層１３０ａ』；熱可塑性樹脂を含有し且つ貫通孔１３３が形成された第１の樹脂層１３１とこの第１の樹脂層１３１の一面に配置された熱硬化樹脂を含有する第２の樹脂層１３２とを備える層。第２の樹脂層１３２は下記（２）のフレキシブル基板１２０側に配置されている。
（２）『フレキシブル基板１２０』；熱可塑性樹脂を含有する第１の樹脂層１２１と、第１の樹脂層１２１の両面に配置された導体パターン１２３と、表裏の導体パターン１２３を電気的に接続する貫通導体１２２とを備える配線基板。
（３）『多層樹脂層１１０ａ』；熱可塑性樹脂を含有する第１の樹脂層１１１とこの第１の樹脂層１１１の両面に配置された熱硬化樹脂を含有する第２の樹脂層１１２と、第１の樹脂層及び第２の樹脂層を貫通して設けられた貫通導体１１３とを備える層。
（４）『フレキシブル基板１２０』；上記（２）と同じ層。
（５）『他層１３０ｂ』；熱可塑性樹脂を含有する第１の樹脂層１３１とこの第１の樹脂層１３１の一面に配置された熱硬化樹脂を含有する第２の樹脂層１３２とを備える層。第２の樹脂層１３２は上記（２）のフレキシブル基板１２０側に配置されている。
（６）『放熱板１６０』；銅からなり熱伝導性に優れている層。
（７）『他層１３０ｂ』；上記（３）と同じ構成の層。第２の樹脂層１３２は下記（６）のフレキシブル基板１２０側に配置されている。
（８）『フレキシブル基板１２０』；上記（２）と同じ層。
（９）『多層樹脂層１１０ａ』；上記（３）と同じ層。
（１０）『フレキシブル基板１２０』；上記（２）と同じ層。
（１１）『他層１３０ａ』；上記（１）と同じ構成の層。第２の樹脂層１３２は上記（１０）のフレキシブル基板１２０側に配置されている。
この多層配線基板１００ｉが備える放熱板１６０は、パターニングされておらず、また、この放熱板１６０を挟むフレキシブル基板１２０が備える導体パターン１２３と接続されていないものである。
【００５８】
〔１０〕図１２に示す多層配線基板１００ｊ
図１２に示す多層配線基板１００ｊは、放熱板１６０を備える多層配線基板の他例である。この多層配線基板１００ｊは、一面側から他面側にかけて（１）〜（７）の
（１）『他層１３０ａ』；熱可塑性樹脂を含有し且つ貫通孔１３３が形成された第１の樹脂層１３１とこの第１の樹脂層１３１の一面に配置された熱硬化樹脂を含有する第２の樹脂層１３２とを備える層。第２の樹脂層１３２は下記（２）のフレキシブル基板１２０側に配置されている。
（２）『フレキシブル基板１２０』；熱可塑性樹脂を含有する第１の樹脂層１２１と、第１の樹脂層１２１の両面に配置された導体パターン１２３と、表裏の導体パターン１２３を電気的に接続する貫通導体１２２とを備える配線基板。
（３）『多層樹脂層１１０ｂ』；熱可塑性樹脂を含有する第１の樹脂層１１１とこの第１の樹脂層１１１の一面に配置された熱硬化樹脂を含有する第２の樹脂層１１２と、第１の樹脂層及び第２の樹脂層を貫通して設けられた貫通導体１１３とを備える層。第２の樹脂層１１２は上記（２）のフレキシブル基板１２０側に配置されている。
（４）『放熱板１６０』；パターニングされた銅１６１と、パターニングにより形成された貫通孔に充填された熱可塑性樹脂１６２（多層樹脂層１１０ｂを構成する第１の樹脂層１１１を構成するものと同じ）と、からなり熱伝導性に優れている層。更に、放熱板１６０は、これ（放熱板１６０）を挟む上記（２）及び下記（６）の各フレキシブル基板１２０が備える導体パターン１２３と、上記（３）及び下記（７）の多層樹脂層１１０ｂの貫通導体１１３及び配線パターン１４０を介して電気的に接続されている。
（５）『多層樹脂層１１０ｂ』；上記（３）と同じ構成の層。下記（６）のフレキシブル基板１２０側に配置されている。
（６）『フレキシブル基板１２０』；上記（２）と同じ層。
（７）『他層１３０ａ』；上記（１）の他層１３０ａと同じ層。
【００５９】
尚、図３〜図１２に示す各多層配線基板１００ａ〜１００ｊでは、多層配線基板１００ａ〜１００ｊの各々全体が本発明にいう積層構造部に相当している。
また、図３及び図６〜１２に示す多層配線基板１００ａ及び１００ｄ〜１００ｊの各（１）及び（７）の他層１３０ａに形成れた貫通孔１３３内には、接続用のハンダボールや接続用のピン等を配置することができる。
更に、図３〜１２に示す各多層配線基板１００ａ〜１００ｊでは、配線基板（フレキシブル基板）１２０が備える貫通導体１２３は、各々導電性フィラーを含有する樹脂（導電性ペースト）を充填して形成（必要で有ればその後に硬化させてもよい）した樹脂含有貫通導体であってもよく、めっき形成した金属製の貫通導体であってもよく、スルーホールの内壁面に形成した金属製内壁層とスルーホール残部が樹脂で充填されてなる貫通導体であってもよい。これらの貫通導体は１種のみを用いてもよく、２種以上を併用してもよい。
【００６０】
また、図３〜図１２に示す各多層配線基板１００ａ〜１００ｊが備える多層樹脂層１１０ａ、１１０ｂ、配線基板１２０が備える貫通導体は、スタックドビア（図１〜６参照、貫通導体同士が互いに積層された構造）として形成されてもよく、非スタックドビア（図７参照、貫通導体同士が互いに積層されていない構造）として形成されてもよく、これらが混在してもよい。
更に、図３〜１２では、各配線基板１２０としてフレキシブル基板１２０を使用した形態を例示しているが、これらの配線基板１２０のうちの１又は２以上がリジッド基板であってもよい。
【００６１】
［２］多層配線基板の製造方法
本発明の多層配線基板の製造方法は特に限定されないが下記方法により製造することができる。
即ち、熱可塑性樹脂を含む第１の樹脂層、該第１の樹脂層の少なくとも片面に設けられた熱硬化性樹脂を含む第２の樹脂層、及び、該第１の樹脂層と該第２の樹脂層とを貫通した貫通導体、を有する多層樹脂層と、
少なくとも片面に導体パターンを有する配線基板と、を積層する積層工程を備え、
該積層工程では、該多層樹脂層と該配線基板とが、該第２の樹脂層側と該導体パターン側とで積層され、且つ該貫通導体と該導体パターンとが電気的に接続された積層構造部を形成することを特徴とする多層配線基板の製造方法。
【００６２】
上記製造方法を用いる場合には、更に、下記一方又は他方の各々方法とすることができる。
（１）上記多層樹脂層は、上記第２の樹脂層を上記第１の樹脂層の両面に有し、
上記積層構造部は、上記配線基板を２つ備え、且つ、該配線基板のうちの第１の配線基板と、上記多層樹脂層と、該配線基板のうちの第２の配線基板とがこの順に積層され、
該多層樹脂層と該第１の配線基板とは、一面の該第２の樹脂層側と該第１の配線基板が備える導体パターン側とで積層され、
該多層樹脂層と該第２の配線基板とは、他面の該第２の樹脂層側と該第２の配線基板が備える導体パターン側とで積層され、
且つ該第１の配線基板が備える導体パターンと該第２の配線基板が備える導体パターンとが該貫通導体を介して電気的に接続されるように、
該多層樹脂層と該配線基板とを一括して積層する製造方法である。
【００６３】
（２）上記多層樹脂層は、上記第２の樹脂層を上記第１の樹脂層の両面に有し、
上記積層構造部は、金属からなる放熱板を備え、且つ、上記配線基板と、上記多層樹脂層と、該放熱板とをこの順に積層して備えるように、
該多層樹脂層、該配線基板及び該放熱板を一括して積層する製造方法である。
【００６４】
これらの多層配線基板の製造方法によれば、設計自由度が高く、他層との接合性に優れ、製造効率よく多層配線基板を製造できる。即ち、多層樹脂層を用いるために電気的な層間接続を含めて一括して複数の層を積層することができるために、高い設計自由度を得ることができる。従来のように層間導通を得るために、多層化後に全層を貫通するスルーホールを形成し、本来不必要な層にもスルーホールを形成するというような不具合を生じない。また、外表面側に接合性に優れた熱硬化性樹脂を含む第２の樹脂層を備えるために、優れた接合性を幅広い被接合材に対して発揮させることができるために、被接合材の選択範囲が広く設計自由度が高い。更に、上記のように一括して積層することもできるために製造効率に優れる。また、プリプレグのみを用いる場合のようにコア基板を用いる必要がなくコアレスの多層配線基板を得ることができる。
【００６５】
上記多層樹脂層は、前記本発明の多層配線基板においては、第２の樹脂層が熱硬化樹脂を含有するのに対して、この熱硬化樹脂が硬化される前の熱硬化性樹脂である点において異なる。その他は、前記多層樹脂層をそのまま適用できる。また、熱硬化性樹脂についても、前記熱硬化樹脂を構成する熱硬化性樹脂のそのまま適用できる。
【００６６】
この多層樹脂層は、前述のように第１の樹脂層（熱可塑性樹脂を含有）と第２の樹脂層（熱硬化性樹脂を含有）とを備える。第２の樹脂層は熱硬化性樹脂を含有し、強い接合性を発揮できる。この接合性は特に樹脂製絶縁層を備える配線基板に対して効果的に発揮できる。また、熱硬化性樹脂は、熱可塑性樹脂よりも凹凸面の形状への追従性に優れている。通常、数〜数十μｍの厚さである導体パターン間の凹凸面へ熱可塑性樹脂を追従させるには、十分な流動性と圧力を要する。しかし、流動性を高くし（加熱温度を高くする）加圧圧力も高く付加すると熱可塑性樹脂は意図しない平面方向への広がりを生じる。これに対して、熱硬化性樹脂は、小さな凹凸面への追従性にも優れるにも関わらず、硬化されるために本発明の第２の樹脂層のように樹脂の量が少ない場合でも、平面方向への広がりをコントロールできる。
しかし、優れた性能を有する第２の樹脂層も、第２の樹脂層のみ単独で存在しては十分な保形性が得られ難く、第２の樹脂層のみからなる層に貫通導体を付与することができない。これに対して、第１の樹脂層を備えることで、全体として保形性を有し、積層に際して優れた接合性及び形状追従性を発揮しながら、貫通導体を有することができる。
【００６７】
一方、第１の樹脂層のみでは、積層時に加熱を行うと熱可塑性樹脂の特性により熱膨張する。また、精密な温度コントロールが必要であり、過度に高い温度となると第１の樹脂層の流動性は急激に大きくなる。しかし、この方法で用いる多層樹脂層は第２の樹脂層を有する。この層は熱硬化性樹脂を含有するために、加熱（積層加熱など）を行うと硬化収縮する性質を有し、第１の樹脂層の膨張を抑制できる。また、第１の樹脂層の流動性が大きくなるに従って、第２の樹脂層の流動性は低下され、多層樹脂層の高温下における保形成を維持できる。特に高温下（積層加熱時など）における第１の樹脂層の平面方向の流動性が過度に大きくなることを抑制する効果に優れている。従って、積層精度及び形状安定性に優れた製造を行うことができる。また、得られた多層配線基板においては、熱硬化性樹脂による優れた耐熱性が発揮される。
【００６８】
また、前記本発明の多層配線基板において述べたように、配線基板を構成する樹脂部は、１％重量減温度が３００℃以上であることが好ましく、更には、ガラス転移点が１８０℃以上であることがより好ましい。この範囲であれば、第２の樹脂層に用いる熱硬化性樹脂の硬化温度と、第１の樹脂層を構成する熱可塑性樹脂の適度な流動性が得られる温度範囲とを重複する温度範囲でコントロールすることができる。
更に、前記本発明の多層配線基板において述べたように、第２の樹脂層の厚さは、第１の樹脂層の厚さの１／４０〜１／２であることが好ましい。より好ましくは１／３０〜１／３、更に好ましくは１／２０〜１／５である。この範囲では第１の樹脂層の特性と第２の樹脂層の特性とを特に相乗的に得ることができる。即ち、多層樹脂層全体としての保形性を十分に確保できる。また、貫通導体を確実に形成することができる。更に、優れた接合性及び優れた追従性が十分に発揮される。また、加熱時の熱可塑性樹脂の流動性を十分に抑制できる。この厚さの好ましい範囲は前述の通りである（前記多層樹脂層においては硬化後の各層の相関を述べているが、硬化前後における層厚変化がほとんどないため硬化前の各樹脂層においても適用される）。第１の樹脂層の厚さ及び第２の樹脂層の厚さの好ましい範囲についても同様である。
【００６９】
上記積層工程では、通常、加熱を行う。加熱を行うことで、上記多層樹脂層の第２の樹脂層内に含まれる熱硬化性樹脂を硬化させ、また、第１の樹脂層内に含まれる熱硬化性樹脂に接着性及び流動性を与えることができる。この加熱における温度は特に限定されず、使用する熱硬化性樹脂及び熱可塑性樹脂の種類により適宜のものとすることが好ましいが、通常、１８０℃以上である。この範囲では、第１の樹脂層を構成する熱硬化性樹脂の十分な流動性を得ながら、第２の樹脂層を構成する熱硬化性樹脂を十分に硬化することができる。
更に、上記加熱に加えて加圧を行うことが好ましい。加圧の程度は特に限定されないが、通常、１ＭＰａ以上である。この範囲では、貫通導体と配線パターンとの電気的接続を確実に行うことができ、また、多層樹脂層の被接合層に対する追従性を十分に発揮させることができる。
【００７０】
上記製造方法において、多層樹脂層が第２の樹脂層を第１の樹脂層の両面に有する場合には、多層樹脂層の表裏に配線基板を積層することで、第１の配線基板と多層樹脂層と第２の配線基板とがこの順に積層された積層構造部を一括して得ることができる。
この場合には、上記の順に配線基板及び多層樹脂層を配置（位置合わせをして積層する）して、例えば、加熱（更には加圧を行ってもよい）することで一括して積層構造部を得ることができる。また、同時に、第１の配線基板が備える導体パターンと第２の配線基板が備える導体パターンとは多層樹脂層が備える貫通導体を介して電気的に接続することができる。
この積層工程における積層条件は、上記積層条件（加熱温度及び加圧圧力など）をそのまま適用できる。
尚、上記多層樹脂層及び上記配線基板の各々２層以上を積層する際にも同様に行うことができる。即ち、例えば、第１の配線基板、多層樹脂層、第２の配線基板、多層樹脂層、第３の配線基板、というように、配線基板と多層樹脂層とを交互に配置した上で、一括して積層することができる。
【００７１】
更に、上記製造方法において、多層樹脂層が第２の樹脂層を第１の樹脂層の両面に有する場合には、多層樹脂層の表裏一方に配線基板を積層し、他方に放熱板を積層することで、配線基板と多層樹脂層と放熱板とがこの順に積層された積層構造部を一括して得ることができる。
この場合には、上記の順に配線基板、多層樹脂層及び放熱板を配置（位置合わせをして積層する）して、例えば、加熱（更には加圧を行ってもよい）することで一括して積層構造部を得ることができる。また同時に、配線基板が備える導体パターンと放熱板とは多層樹脂層が備える貫通導体を介して電気的に接続することもできる（接続しなくてもよい）。
この積層工程における積層条件は、上記積層条件（加熱温度及び加圧圧力等）をそのまま適用できる。尚、上記放熱板には前記多層配線基板における放熱板をそのまま適当できる。
【実施例】
【００７２】
以下、実施例により本発明を具体的に説明する。
［１］図４に示す多層配線基板の製造
（１）多層樹脂層１１０ａ
第１の樹脂層１１１；ＰＥＥＫ及びＰＥＩを主成分として、厚さ約５０μｍに調整した樹脂製薄膜（三菱化学株式会社製、品名「ＩＢＵＫＩ」）からなる層。
第２の樹脂層１１２；熱硬化性ポリイミド樹脂を主成分とする厚さ約１０μｍの半硬化熱硬化性樹脂層を第１の樹脂層の両面にラミネートした層。
貫通導体１１３    ；第１の樹脂層と第２の樹脂層とを備える複層物の全体を貫通するスルーホール（貫通孔）をレーザー穿孔機により直径１２０μｍに形成する。その後、銀コート銅粉を含有する貫通導体用ペーストをスクリーン印刷により、上記スルーホール内に充填した後、硬化させてなる貫通導体。
【００７３】
（２）フレキシブル基板１２０
約２５μｍ厚みのポリイミドの両面に約１２μｍ厚みの電解銅箔を備えた両面銅張り積層層板を用意する。その後、周知の方法にて、パターン及びビア形成を行い、フレキシブル基板を得る。
【００７４】
（３）積層工程
多層樹脂層１１０ａとフレキシブル基板１２０を交互に積層し、２０Ｔｏｒｒ（≒２６６６Ｐａ）以下の真空下で２３０℃以上の温度となるように加熱を行いながら積層方向（接合方向）に押圧力（４ＭＰａ）を加える（真空熱プレス）。
（４）配線パターン１４０
無電解めっき法及び電解めっき法を併用して得られた金属膜をフォトリソ法によりパターニングして形成する。
このようにして、図４に示す多層配線基板を得る。
【産業上の利用可能性】
【００７５】
本発明は電子部品関連分野において広く利用できる。また、本発明の配線基板は、マザーボード等の通常の配線基板、フリップチップ用配線基板、ＣＳＰ用配線基板及びＭＣＰ用配線基板等の半導体素子搭載用配線基板、アンテナスイッチモジュール用配線基板、ミキサーモジュール用配線基板、ＰＬＬモジュール用配線基板及びＭＣＭ用配線基板等のモジュール用配線基板等に好適である。
【図面の簡単な説明】
【００７６】
【図１】多層樹脂層の一例の模式的な断面図である。
【図２】多層樹脂層の他例の模式的な断面図である。
【図３】本発明の多層配線基板の一例の模式的な断面図である。
【図４】本発明の多層配線基板の他例の模式的な断面図である。
【図５】本発明の多層配線基板の他例の模式的な断面図である。
【図６】本発明の多層配線基板の他例の模式的な断面図である。
【図７】本発明の多層配線基板の他例の模式的な断面図である。
【図８】本発明の多層配線基板の他例の模式的な断面図である。
【図９】本発明の多層配線基板の他例の模式的な断面図である。
【図１０】本発明の多層配線基板の他例の模式的な断面図である。
【図１１】本発明の多層配線基板の他例の模式的な断面図である。
【図１２】本発明の多層配線基板の他例の模式的な断面図である。
【符号の説明】
【００７７】
１００ａ、１００ｂ、１００ｃ、１００ｄ、１００ｅ、１００ｆ、１００ｇ、１００ｈ、１００ｉ、１００ｊ；多層配線基板、１１０ａ、１１０ｂ；多層樹脂層、１１１；第１の樹脂層（熱可塑性樹脂を含む樹脂層）、１１２；第２の樹脂層（熱硬化樹脂を含む樹脂層）、１１３；貫通導体、１２０；配線基板（フレキシブル配線基板）、１２１；配線基板の樹脂層（樹脂部）、１２２；配線基板の貫通導体、１２３；配線基板の導体パターン、１２４；配線基板の高誘電率樹脂層、１２５；めっき層、１３０ａ、１３０ｂ；他層、１４０；導体パターン、１５０；保護層、１６０；放熱板、２００；リジッド部分、３００；フレキシブル部分。
【図１】
2008103640.tif 000003
【図２】
2008103640.tif 000004
【図３】
2008103640.tif 000005
【図４】
2008103640.tif 000006
【図５】
2008103640.tif 000007
【図６】
2008103640.tif 000008
【図７】
2008103640.tif 000009
【図８】
2008103640.tif 000010
【図９】
2008103640.tif 000011
【図１０】
2008103640.tif 000012
【図１１】
2008103640.tif 000013
【図１２】
2008103640.tif 000014